(57)【要約】【課題】  反り等の発生を抑えて外観品質の低下を防止できると共に、ベースキャビネットに確実にネジ止めできて安定した設置状態が得られるキッチン用の仕切りパネルを提供する。【解決手段】  レンジフードの側方を覆うパーチクルボード等で形成された第１の板体と、該第１の板体のレンジフード側の側面に分割状態で積層配置されると共に、その少なくともレンジフードと接する部分が所定板厚の不燃板で形成された複数の板体からなる第２の板体と、を備える。第２の板体は、第１の板体の幅方向の前端部と後端部に固定された前部不燃板及び後部不燃板と、該前部不燃板と後部不燃板との間の上部に固定された上部不燃板の３枚の不燃板及び該上部不燃板の下部に固定されたパーチクルボート等で形成される。【選択図】  図２
2005279143.tif 000002
【特許請求の範囲】
【請求項１】
ベースキャビネットのコンロ上方に設置されるレンジフードと、該レンジフードの側方に配置される冷蔵庫等との間に設置されるキッチン用の仕切りパネルであって、
前記仕切りパネルは、レンジフードの側方を覆う所定高さの第１の板体と、該第１の板体のレンジフード側の側面に分割状態で積層配置されると共に、その少なくともレンジフードと接する部分が所定板厚の不燃板で形成された複数の板体からなる第２の板体と、を備えることを特徴とするキッチン用の仕切りパネル。
【請求項２】
前記第１の板体は、ベースキャビネットの下端からレンジフードの上端に至る高さ寸法の木質板で形成されると共に、前記第２の板体は、第１の板体の幅方向の前端部と後端部に固定された前部不燃板及び後部不燃板と、該前部不燃板と後部不燃板との間の上部に固定された上部不燃板の３枚の不燃板を有することを特徴とする請求項１に記載のキッチン用の仕切りパネル。
【請求項３】
前記第２の板体は、第１の板体における上部不燃板の下側に固定された所定形状の木質板を有することを特徴とする請求項２に記載のキッチン用の仕切りパネル。
【請求項４】
前記第２の板体は、前部不燃板と後部不燃板が接着剤によって第１の板体に固定され、上部不燃板が所定間隔を有する複数のネジによって第１の板体に固定されていることを特徴とする請求項２または３に記載のキッチン用の仕切りパネル。
【請求項５】
前記前部不燃板に断面コ字状の取付部材がネジ固定され、該取付部材に不燃性のキッチンパネルが嵌め込み式に取り付けられて第２の板体と第１の板体に一体化されていることを特徴とする請求項２ないし４のいずれかに記載のキッチン用の仕切りパネル。
【請求項６】
前記仕切りパネルは、上部がレンジフードが取り付けられる壁面に固定金具を介して固定されると共に、下部がベースキャビネットにネジ固定されることを特徴とする請求項１ないし５のいずれかに記載のキッチン用の仕切りパネル。
【発明の詳細な説明】
【技術分野】
【０００１】
本発明は、例えばシステムキッチン等のキッチンにおいて、レンジフードと冷蔵庫等との間に設置される仕切りパネルに関する。
【背景技術】
【０００２】
一般的に、システムキッチンにおいては、上面のカウンタにコンロやシンクが配置されたベースキャビネットを有し、このベースキャビネットのコンロ上方には、レンジフードが設置されている。このレンジフードは、消防法によって該レンジフードと接するベースキャビネット上部でレンジフードの取付面となる壁面や、レンジフードやベースキャビネットの側方の壁面が、所定の不燃仕様となるように規定されている。
【０００３】
そして、レンジフードの側方が住宅壁面の場合には、該壁面の材質や板厚等を消防法で規定された不燃仕様に設定することは比較的容易に行えるものの、システムキッチンのレイアウト上、レンジフードの側方に冷蔵庫等が設置される場合には、例えば施工現場において冷蔵庫との間に不燃仕様の仕切りパネルを設置しているのが実情である。
【０００４】
従来、この仕切りパネルは、表面が不燃使用の所定板厚の１枚ものの不燃パネルで形成され、この不燃パネルをベースキャビネットの側面と冷蔵庫との間に垂直状態で設置している。なお、このような仕切りパネルは文献公知発明に係わるものでないため、記載すべき先行技術文献情報はない。
【発明の開示】
【発明が解決しようとする課題】
【０００５】
しかしながら、このような仕切りパネルにおいては、１枚ものの不燃パネルが使用されるため、レンジフードやコンロの熱を受けて仕切りパネルに反りや変形等（反り等という）が発生し易く、仕切りパネルの外観品質は勿論のことキッチン全体の外観品質を損なう虞がある。また、仕切りパネルを設置するためにベースキャビネットの側面にネジ固定する際、仕切りパネル上でネジが直ぐに空回りしてしまい、仕切りパネルをベースキャビネットに確実に固定することが困難で、仕切りパネルをベースキャビネットと冷蔵庫間に安定した状態で設置することが難しい。
【０００６】
本発明は、このような事情に鑑みてなされたもので、その目的は、反り等の発生を抑えて仕切りパネル自体やキッチンの外観品質の低下を防止できると共に、ベースキャビネットに確実にネジ止めできて安定した設置状態が得られるキッチン用の仕切りパネルを提供することにある。
【課題を解決するための手段】
【０００７】
かかる目的を達成すべく、本発明のうち請求項１に記載の発明は、ベースキャビネットのコンロ上方に設置されるレンジフードと、該レンジフードの側方に配置される冷蔵庫等との間に設置されるキッチン用の仕切りパネルであって、前記仕切りパネルは、レンジフードの側方を覆う所定高さの第１の板体と、該第１の板体のレンジフード側の側面に分割状態で積層配置されると共に、その少なくともレンジフードと接する部分が所定板厚の不燃板で形成された複数の板体からなる第２の板体と、を備えることを特徴とする。
【０００８】
また、請求項２に記載の発明は、前記第１の板体が、ベースキャビネットの下端からレンジフードの上端に至る高さ寸法の木質板で形成されると共に、前記第２の板体が、第１の板体の幅方向の前端部と後端部に固定された前部不燃板及び後部不燃板と、該前部不燃板と後部不燃板との間の上部に固定された上部不燃板の３枚の不燃板を有することを特徴とする。
【０００９】
また、請求項３に記載の発明は、前記第２の板体が、第１の板体における上部不燃板の下側に固定された所定形状の木質板を有することを特徴とし、請求項４に記載の発明は、前記第２の板体の、前部不燃板と後部不燃板が接着剤によって第１の板体に固定され、上部不燃板が所定間隔を有する複数のネジによって第１の板体に固定されていることを特徴とする。
【００１０】
また、請求項５に記載の発明は、前記前部不燃板に断面コ字状の取付部材がネジ固定され、該取付部材に不燃性のキッチンパネルが嵌め込み式に取り付けられて第２の板体と第１の板体に一体化されていることを特徴とする。さらに、請求項６に記載の発明は、前記仕切りパネルの上部がレンジフードが取り付けられる壁面に固定金具を介して固定されると共に、下部がベースキャビネットにネジ固定されることを特徴とする。
【発明の効果】
【００１１】
本発明の請求項１に記載の発明によれば、仕切りパネルが、レンジフードの側方を覆う所定高さの第１の板体と、この第１の板体のレンジフード側の側面に分割状態で積層配置され少なくともレンジフードと接する部分が不燃板で形成された第２の板体を有するため、分割状態の複数の板体からなる第２の板体によってその反り等を矯正（吸収）でき、パネル全体としての反り等の発生を抑えて、仕切りパネル自体やキッチンの外観品質の低下を防止することができると共に、消防法をクリアする所定板厚の第２の板体と第１の板体の積層構造により、仕切りパネルをベースキャビネット等に確実にネジ止めできて、仕切りパネルの安定した設置状態を容易に得ることができる。
【００１２】
また、請求項２に記載の発明によれば、請求項１に記載の発明の効果に加え、第２の板体が、パーチクルボード等の木質板からなる第１の板体の所定位置に固定された前部不燃板、後部不燃板及び上部不燃板の３枚の不燃板を有するため、不燃板を不燃性とコストの両方を満足する最適位置に積層配置できて、安価でかつ性能的に優れた仕切りパネルを得ることができる。
【００１３】
また、請求項３に記載の発明によれば、請求項２に記載の発明の効果に加え、第２の板体が上部不燃板の下側に固定されたパーチクルボード等の木質板を有するため、第２の板体の反り等を矯正しつつ仕切りパネルの剛性アップが図れると共に、ベースキャビネットへのネジ止めを一層確実に行うことができる。
【００１４】
また、請求項４に記載の発明によれば、請求項２または３に記載の発明の効果に加え、第２の板体の前部不燃板と後部不燃板が第１の板体に接着固定され、上部不燃板が複数のネジによって第１の板体に固定されるため、接着固定された前部不燃板と後部不燃板の木口面の化粧処理が容易になると共に、ネジ固定により上部不燃板の反り等を矯正しつつ板体への固着強度を高めることができる。
【００１５】
また、請求項５に記載の発明によれば、請求項２ないし４に記載の発明の効果に加え、前部不燃板にネジ固定された取付部材に不燃性のキッチンパネルが嵌め込み式に取り付けられて第２の板体と第１の板体に一体化されるため、不燃性のキッチンパネルのレンジフード側方への取付作業を簡単に行うことができる。
【００１６】
さらに、請求項６に記載の発明によれば、仕切りパネルの上部がレンジフードを取り付ける壁面に固定金具を介して固定されると共に、下部がベースキャビネットにネジ固定されるため、上下の固定で一層安定した設置状態が得られると共に、Ｌ金具等の固定金具により仕切りパネルの上部の反り等が矯正されて、例えば仕切りパネル上部にウォールキャビネット等を安定した状態で取り付けることができる。
【発明を実施するための最良の形態】
【００１７】
以下、本発明の実施の形態を図面に基づいて詳細に説明する。
図１〜図３は、本発明に係わるキッチン用の仕切りパネルの一実施形態を示し、図１が該仕切りパネルを使用したシステムキッチンの要部正面図、図２がその仕切りパネルの斜視図、図３がその断面図である。
【００１８】
図１において、システムキッチン１（以下、キッチン１という）は、上面にカウンタ２ａが配置され、このカウンタ２ａの例えば右端側にコンロ２ｂが設けられると共に、左端側に図示しないシンクが設けられたベースキャビネット２を有している。このベースキャビネット２は、床面４上に設置されると共にその背面が住宅壁面に固定されたキッチンパネル５に略当接状態で設置され、コンロ２ｂの上方のキッチンパネル５には、レンジフード３が取り付けられている。
【００１９】
レンジフード３は、フードケース３ａの内部に図示しないシロッコファンやプロペラファン等が内蔵されており、フードケース３ａの背面が前記キッチンパネル５にネジ固定等により固定されることで住宅壁面に取り付けられている。なお、フードケース３ａの右側面とベースキャビネット２の右側面は垂直面内で略面一となるように設定されている。
【００２０】
そして、レンジフード３とベースキャビネット２の右側面には、仕切りパネル６を介して冷蔵庫７とウォールキャビネット８が配置されている。すなわち、仕切りパネル６は、キッチン１の床面４と天井９間の寸法と略同一の高さ寸法に設定されて垂直状態に設置され、その下部右側方の床面４上に所定の空間を有して冷蔵庫７が配置され、その上部右側方に例えば一対の扉８ａを有するウォールキャビネット８が天井９に当接する状態で取り付けられている。
【００２１】
また、前記仕切りパネル６は、図２及び図３に示すように、パネル本体６ａと、このパネル本体６ａの右側面、左側面及び木口面となる前面と後面にそれぞれ配置された化粧板６ｂ、６ｃ等を有している。パネル本体６ａは、第１の板体の木質板としてのパーチクルボード１１と、このパーチクルボード１１の幅方向の前後端部で上下方向の全域に接着剤１６で接着固定された前部不燃板１２及び後部不燃板１３と、この前後不燃板１２と後部不燃板１３との間でパーチクルボード１１の左側面の上部にネジ１７で固定された上部不燃板１４と、この上部不燃板１４の下側で、パーチクルボード１１の左側面に上部不燃板１４と同様にネジ１７で固定されたパーチクルボード１５等で形成されている。この前部不燃板１２、後部不燃板１３、上部不燃板１４及びパーチクルボード１５により第２の板体が形成されている。
【００２２】
前記化粧板６ｂ、６ｃは、例えば所定の化粧が施された不燃性の化粧シート等により形成され、図示しない接着剤によってパネル本体６の各面に接着固定されている。そして、この化粧板６ｂ、６ｃと前後の不燃板１２、１３等によって、仕切りパネル６が前後方向（幅方向）に対称形状に形成され、レンジフード３と冷蔵庫７の配置位置関係が、図１に示す配置（冷蔵庫７が右側でレンジフード３が左側）であっても、その逆配置（冷蔵庫７が左側でレンジフード３が右側）であっても対応できるようになっている。
【００２３】
なお、図２に示すように、前記パーチクルボード１１の板厚は、例えばｔ１＝１２ｍｍ程度で、前部不燃板１２、後部不燃板１３、上部不燃板１４及びパーチクルボード１５の板厚は、例えばｔ２＝９ｍｍ程度に設定されると共に、上部不燃板１４の高さ寸法ｈ１は、その下端がベースキャビネット２の上端部より下方に位置する、すなわちレンジフード３とコンロ２ｂの側方を覆う寸法に設定されている。
【００２４】
また、パーチクルボード１１の左側面に固定される上部不燃板１４とパーチクルボード１５は、前後方向２列の所定間隔位置が複数のネジ１７で固定されており、これにより、上部不燃板１４やパーチクルボード１５の反り等が矯正（吸収）されると共に、二分割状態の上部不燃板１４とパーチクルボード１５とによって、パネル本体６ａ全体の反り等も矯正されるようになっている。
【００２５】
そして、このように構成された仕切りパネル６は、レンジフード３とベースキャビネット２の右側面に次のようにして設置される。すなわち、先ず、その高さ寸法が床面４と天井９間の寸法に設定された仕切りパネル６を用意し、この仕切りパネル６の下部を、そのパーチクルボード１５部分を利用して複数の図示しないネジでベースキャビネット２に固定すると共に、仕切りパネル６の上端部を、図１に示すように、固定金具としてのＬ金具１８を使用してキッチンパネル５にネジで固定する。なお、このＬ金具１８が使用者等に視認されるような場合には、適宜、図示しない幕板等を取り付けることにより隠蔽される。
【００２６】
このベースキャビネット２への固定時に、仕切りパネル６の二枚積層構造となっているパーチクルボード１１、１５により、ネジをベースキャビネット２に確実にねじ込みできて、その固定に所定の強度が確保されると共に、Ｌ金具１８により、仕切りパネル６の上部に所定の取付強度が確保された状態となる。
【００２７】
このようにして仕切りパネル６をベースキャビネット２とキッチンパネル５に固定したら、この仕切りパネル６の右側面上部の住宅壁面にウォールキャビネット８を取り付ける。この時、仕切りパネル６の上端部がＬ金具１８で固定されてその反り等が矯正されていることから、ウォールキャビネット８の左側面が仕切りパネル６に密着した良好な状態で取り付けられる。そして、この仕切りパネル６の右側方に図１に示すように冷蔵庫７が配置することにより、仕切りパネル６等の設置が完了し、仕切りパネル６の所定板厚の上部不燃板１４等が、レンジフード３と接する状態となって消防法で規定する不燃性を満足（クリア）する状態となる。
【００２８】
このように、上記実施形態の仕切りパネル６にあっては、パーチクルボード１１の左側面の幅方向前後に前部不燃板１２と後部不燃板１３が接着固定されるため、木口面への化粧材６ｃの取り付けを容易に仕上げることができると共に、この前後の不燃板１２、１３間のパーチクルボード１１に上部不燃板１４とパーチクルボード１５がネジ固定されているため、分割状態の各不燃板１２〜１４によってその反り等を矯正できて、パネル本体６ａの反り等の発生を抑えることができ、仕切りパネル６自体の外観品質やキッチン１全体の外観品質の低下を確実に防止することができる。
【００２９】
特に、分割状態の上部不燃板１４とパーチクルボード１５が、パーチクルボード１１に幅方向に２列で上下方向に所定間隔の複数のネジ１７によって固定されているため、上部不燃板１４とパーチクルボード１５のパーチクルボード１１への支持が複数の点による支持となって、上部不燃板１４やパーチクルボード１５自体の反り等が確実に矯正され、仕切りパネル６に所定の剛性を確保しつつその反り等の発生を一層確実に抑えることができる。
【００３０】
また、仕切りパネル６のパネル本体６ａが、パーチクルボード１１の左側面に上部不燃板１４とパーチクルボード１５がネジ固定されることで積層構造となっているため、仕切りパネル６をベースキャビネット２の側面に、ネジが空回りすることなく確実に固定することができると共に、仕切りパネル６の後部不燃板１３（あるいは後部不燃板１３や上部不燃板１４等）がキッチンパネル５にＬ金具１８を介して固定されるため、仕切りパネル６をキッチン１の床面４と天井９との間に垂直状態でかつ反り等のない安定した状態で設置することができる。
【００３１】
さらに、パーチクルボード１１に固定される各不燃板１２〜１４が、複数に分割されてパーチクルボード１１の不燃性が要求される部分にのみ固定されているため、コスト的に高価な不燃板の最適使用が可能となり、仕切りパネル６の全域を不燃板で形成した場合に比較して安価な仕切りパネル６を得ることができ、コストと不燃性の両方を同時に満足する仕切りパネル６の提供が可能となる。
【００３２】
また、仕切りパネル６のパーチクルボード１１の幅方向前後に前部不燃板１２と後部不燃板１３が固定されると共に化粧板６ｂ等で覆われることにより、幅方向に対称形状に形成されているため、仕切りパネル６をレンジフード３の右側面に設置したり、あるいはレンジフード３の左側面に設置することができると共に、専用の仕切りパネル６の設定により、レンジフード３の側方に冷蔵庫７を設置することができて、キッチン１の各種レイアウトに容易に対応することができる。また、パネル本体６ａの左右側面や前後面が化粧板６ｂ、６ｃで覆われているため、外観的に良好な仕切りパネル６が得られ、高級感のあるキッチン１であっても好適に使用することができる。
【００３３】
図４及び図５は、本発明に係わる仕切りパネルの他の実施形態を示す分解斜視図及びその要部拡大部である。以下、上記実施形態と同一部位には同一符号を付して説明する。この実施形態の仕切りパネル２０の特徴は、前記パネル本体６ａと略同一に形成されたパネル本体２０ａにキッチンパネル２０ｂを一体的に取り付けた点にある。
【００３４】
すなわち、図５に示すように、パネル本体２０ａの前部不燃板１２の左側面に、横断面がコ字状の取付部材２１をネジ２３（図３参照）で固定し、この取付部材２１の凹溝２１ａ内に板厚が例えば３ｍｍ程度の不燃性のキッチンパネル２０ｂの前端部を嵌め込み、上部不燃板１４等に接着剤やネジで固定してパネル本体２０ａに一体化する。そして、図４に示すように、このキッチンパネル２０ｂが一体化された仕切りパネル２０を上記実施形態と同様に、仕切りパネル２０の下部をネジでベースキャビネット２に固定し、上部をＬ金具１８でキッチンパネル５（壁面）に固定する。
【００３５】
この実施形態の場合には、パネル本体２０ａの左側面に化粧が施されたキッチンパネル２０ｂが一体化されることから、パネル本体２０ａの左側面の前記化粧板６ｂは省略され、また、取付部材２１としては、例えばアルミニウムの押出し材で、その表面に前記化粧板６ｃと同様の化粧が施されたものが使用される。また、この実施形態の場合、キッチンパネル２０ｂの高さ寸法がパネル本体２０ａの高さ寸法より短く、コンロ２ｂ側方から上部を覆う形状とした場合は、図４の二点鎖線で示すように、キッチンパネル２０ｂの板厚分の板厚を有するスペーサ２２を介して、仕切りパネル２０がベースキャビネット２の右側面にネジ固定される。
【００３６】
この実施形態の仕切りパネル２０においても、その左側面にキッチンパネル２０ｂが一体化された状態でレンジフード３やベースキャビネット２の右側面に設置できて、上記実施形態の仕切りパネル６と同様の作用効果を得ることができる。また、この実施形態の場合、不燃性と耐久性に優れて従来からキッチンに使用されていたキッチンパネル２０ｂの使用により、仕切りパネル２０自体の反り等を矯正することができて、仕切りパネル２０（キッチン１）の外観品質を一層高めることができる。
【００３７】
また同時に、前部不燃板１２にネジ固定された取付部材２１に不燃性のキッチンパネル２０ｂが嵌め込み式に取り付けられるため、不燃性のキッチンパネル２０ｂのレンジフード３側方への取付作業を従来と同様に行うことができたり、キッチンパネル２０ｂの板厚により上部不燃板１４等の板厚を薄くできて、軽量で取り扱い性に優れたパネル本体２０ａを形成できる等の作用効果が得られる。
【００３８】
なお、上記各実施形態においては、パネル本体６ａ、２０ａのパーチクルボード１１の前部不燃板１２と後部不燃板１３との間に、上下に二分割状態の上部不燃板１４とパーチクルボード１５をネジ固定したが、本発明はこの構成に限定されず、例えば図６に示すように、前部不燃板１２と後部不燃板１３を上部不燃板１４と同一高さ寸法として、これらの下側にバーチクルボード１５を固定しても良い。
【００３９】
また、図６に示す上部不燃板１４に、前部不燃板１２と後部不燃板１３を一体化して１枚の上部不燃板として、パーチクルボード１１の左側面にネジ固定しても良いし、パーチクルボード１５として格子状や部分的なパーチクルボードを使用する等、少なくともレンジフード３と接する部分が不燃化粧板となる適宜の構造を採用することができる。
【００４０】
さらに、上記各実施形態においては、仕切りパネル６、２０の第１の板体や第２の板体として、パーチクルボード１１、１５を使用したが、不燃性を有さず比較的安価な合板等の他の適宜の木質板を使用しても良いし、仕切りパネル６、２０のパーチクルボード１１や不燃板１２〜１４、キッチンパネル２０ｂ等の板厚も、消防法の規定を満足する適宜の厚さを採用することができる。また、上記実施形態における、ウォールキャビネット８の有無等のキッチン１の形態、レンジフード３の形態、キッチンパネル５の固定位置等は一例であって、本発明に係わる各発明の要旨を逸脱しない範囲において適宜の構成を採用することができる。
【産業上の利用可能性】
【００４１】
本発明は、システムキッチンのレンジフードと冷蔵庫との間の仕切りパネルに限らず、例えば各種キッチンのレンジフードやコンロの側方に設置される各種キャビネットや機器との間の各種仕切りパネルとしても適用できる。
【図面の簡単な説明】
【００４２】
【図１】本発明に係わる仕切りパネルを使用したシステムキッチンの一実施形態を示す要部正面図
【図２】同その仕切りパネルの斜視図
【図３】同その断面図
【図４】本発明に係わる仕切りパネルの他の実施形態を示す分解斜視図
【図５】同図４のＡ部の拡大図
【図６】本発明に係わる仕切りパネルのさらに他の実施形態を示す側面図
【符号の説明】
【００４３】
１・・・システムキッチン、２・・・ベースキャビネット、２ａ・・・カウンタ、２ｂ・・・コンロ、３・・・レンジフード、３ａ・・・フードケース、４・・・床面、５・・・キッチンパネル、６・・・仕切りパネル、６ａ・・・パネル本体、６ｂ、６ｃ・・・化粧板、７・・・冷蔵庫、８・・・ウォールキャビネット、９・・・天井、１１・・・パーチクルボード、１２・・・前部不燃板、１３・・・後部不燃板、１４・・・上部不燃板、１５・・・パーチクルボード、１６・・・接着剤、１７・・・ネジ、１８・・・Ｌ金具、２０・・・仕切りパネル、２０ａ・・・パネル本体、２０ｂ・・・キッチンパネル、２１・・・取付部材、２１ａ・・・凹溝、２２・・・スペーサ。
【図１】
2005279143.tif 000003
【図２】
2005279143.tif 000004
【図３】
2005279143.tif 000005
【図４】
2005279143.tif 000006
【図５】
2005279143.tif 000007
【図６】
2005279143.tif 000008